【手続補正書】
【提出日】平成18年12月15日(2006.12.15)
【手続補正１】
【補正対象書類名】明細書
【補正対象項目名】特許請求の範囲
【補正方法】変更
【補正の内容】
【特許請求の範囲】
【請求項１】  像を担持する像担持体と、記録材を担持し搬送する記録材担持体を備える記録材搬送ユニットと、を有し、前記像担持体上の像を前記記録材担持体に担持された記録材に転写する画像形成装置において、
前記記録材担持体の前記像担持体と対向する側に、前記記録材担持体が前記像担持体側へと移動するのを規制する規制部材が設けられることを特徴とする画像形成装置。
【請求項２】前記記録材搬送ユニットは、前記記録材担持体を前記像担持体に対して離間可能とするために、前記記録材担持体を揺動支軸を中心として揺動自在に取付けており、且つ、前記記録材搬送ユニットは、画像形成装置本体に対して外部に引き出し可能とされることを特徴とする請求項１の画像形成装置。
【請求項３】  前記規制部材は、前記記録材担持体の揺動支軸の近傍に配置されることを特徴とする請求項２の画像形成装置。
【請求項４】  前記規制部材は、前記記録材担持体の外周表面に隣接して或いは当接して複数配置されることを特徴とする請求項１〜３のいずれかの項に記載の画像形成装置。
【請求項５】  前記記録材担持体は無端ベルトであり、前記規制部材は、前記ベルトの外周位置を規制することを特徴とする請求項１〜４のいずれかの項に記載の画像形成装置。
【請求項６】  前記規制部材は、前記ベルトの回動方向に沿った外側端部外周位置を規制することを特徴とする請求項５の画像形成装置。
【請求項７】  前記規制部材は、前記規制部材を前記記録材搬送ユニットに取付けるための取付け部と、前記ベルトを規制する規制部と、を有し、前記取付け部は、前記ベルトの回動方向に沿った両端部の更に外側に設けた部材に取付けられ、前記規制部は、前記ベルトの中央部に向かって存在し、かつ、前記規制部の先端は前記ベルトの外周表面に向けられていることを特徴とする請求項５又は６の画像形成装置。
【請求項８】  前記規制部材の前記取付け部は、前記ベルトを回動自在に取付けている前後側板に取付けられることを特徴とする請求項７の画像形成装置。
【請求項９】  前記規制部材の前記規制部は、前記取付け部から前記規制部の先端へと向かって、前記ベルトの回動方向にて上流側から下流側へと傾斜して形成されることを特徴とする請求項７又は８の画像形成装置。
【請求項１０】  前記規制部材の前記規制部の、前記ベルトの回動方向にて上流側に位置する先端角部は鈍角とされることを特徴とする請求項９の画像形成装置。
【請求項１１】  前記規制部材は、シート状の弾性部材で形成されることを特徴とする請求項１〜１０のいずれかの項に記載の画像形成装置。
【請求項１２】  前記規制部材の体積抵抗率は１０4〜１０18Ωｃｍであることを特徴とする請求項１〜１１のいずれかの項に記載の画像形成装置。
【請求項１３】  前記規制部材は、厚さ０．０２５ｍｍ〜１．０ｍｍのＰＥＴフィルムであることを特徴とする請求項１〜１２のいずれかの項に記載の画像形成装置。
【請求項１４】  前記記録材担持体に担持された記録材に複数色の像が順次転写されることを特徴とする請求項１〜１３のいずれかの項に記載の画像形成装置。
【請求項１５】  前記像担持体は複数色の像をそれぞれ担持するために複数設けられ、前記各像担持体から前記記録材担持体に担持された記録材に複数色の像が順次転写されることを特徴とする請求項１４の画像形成装置。
【請求項１６】  前記像担持体又は前記記録材担持体のうち少なくとも一方は装置本体に対して着脱可能であることを特徴とする請求項１〜１５のいずれかの項に記載の画像形成装置。
【請求項１７】  像を担持する像担持体と、前記像担持体上の像が転写される中間転写体を備える中間転写体ユニットと、を有し、前記中間転写体上の像を記録材に転写する画像形成装置において、
前記中間転写体の前記像担持体と対向する側に、前記中間転写体が前記像担持体側へと移動するのを規制する規制部材を設けることを特徴とする画像形成装置。
【請求項１８】  前記中間転写体ユニットは、前記中間転写体を前記像担持体に対して離間可能とするために前記中間転写体を揺動支軸を中心として揺動自在に取付けており、且つ、前記中間転写体ユニットは、画像形成装置本体に対して外部に引き出し可能とされることを特徴とする請求項１７の画像形成装置。
【請求項１９】  前記規制部材は、前記中間転写体の揺動支軸の近傍に配置されることを特徴とする請求項１８の画像形成装置。
【請求項２０】  前記規制部材は、前記中間転写体の外周表面に隣接して或いは当接して複数配置されることを特徴とする請求項１７〜１９のいずれかの項に記載の画像形成装置。
【請求項２１】  前記中間転写体は無端ベルトであり、前記規制部材は、前記ベルトの外周位置を規制することを特徴とする請求項１７〜２０のいずれかの項に記載の画像形成装置。
【請求項２２】  前記規制部材は、前記ベルトの回動方向に沿った外側端部外周位置を規制することを特徴とする請求項２１の画像形成装置。
【請求項２３】  前記規制部材は、前記規制部材を前記中間転写体ユニットに取付けるための取付け部と、前記ベルトを規制する規制部と、を有し、前記取付け部は、前記ベルトの回動方向に沿った両端部の更に外側に設けた部材に取付けられ、前記規制部は、前記ベルトの中央部に向かって存在し、かつ、前記規制部の先端は前記ベルトの外周表面に向けられていることを特徴とする請求項２１又は２２の画像形成装置。
【請求項２４】  前記規制部材の前記取付け部は、前記ベルトを回動自在に取付けている前後側板に取付けられることを特徴とする請求項２３の画像形成装置。
【請求項２５】  前記規制部材の前記規制部は、前記取付け部から前記規制部の先端へと向かって、前記ベルトの回動方向にて上流側から下流側へと傾斜して形成されることを特徴とする請求項２３又は２４の画像形成装置。
【請求項２６】  前記規制部材の前記規制部の、前記ベルトの回動方向にて上流側に位置する先端角部は鈍角とされることを特徴とする請求項２５の画像形成装置。
【請求項２７】  前記規制部材は、シート状の弾性部材で形成されることを特徴とする請求項１７〜２６のいずれかの項に記載の画像形成装置。
【請求項２８】  前記規制部材の体積抵抗率は１０4〜１０18Ωｃｍであることを特徴とする請求項１７〜２７のいずれかの項に記載の画像形成装置。
【請求項２９】  前記規制部材は、厚さ０．０２５ｍｍ〜１．０ｍｍのＰＥＴフィルムであることを特徴とする請求項１７〜２８のいずれかの項に記載の画像形成装置。
【請求項３０】前記中間転写体に担持された記録材に複数色の像が順次転写されることを特徴とする請求項１７〜２９のいずれかの項に記載の画像形成装置。
【請求項３１】前記像担持体は複数色の像をそれぞれ担持するために複数設けられ、前記各像担持体から前記中間転写体に担持された記録材に複数色の像が順次転写されることを特徴とする請求項３０の画像形成装置。
【請求項３２】前記像担持体又は前記中間転写体のうち少なくとも一方は装置本体に対して着脱可能であることを特徴とする請求項１７〜３１のいずれかの項に記載の画像形成装置。
【手続補正２】
【補正対象書類名】明細書
【補正対象項目名】００３１
【補正方法】変更
【補正の内容】
【００３１】
記録材搬送ユニットＢは、図１に示すように、メンテナンス時に通常の画像形成時の状態、即ち、像担持体７ａ〜７ｄと転写ベルト３が接触した状態から、転写ベルト３を像担持体７ａ〜７ｄより離間させてから、画像形成装置Ａの前方に引き出せる搬送ユニット引出機構Ｃに装着されている。
【手続補正３】
【補正対象書類名】明細書
【補正対象項目名】００４７
【補正方法】削除
【補正の内容】
【手続補正４】
【補正対象書類名】明細書
【補正対象項目名】図面の簡単な説明
【補正方法】変更
【補正の内容】
【図面の簡単な説明】
【図１】
本発明の画像形成装置の一実施例を示す概略斜視図である。
【図２】
本発明の規制部材を取り付けた記録材搬送ユニットの斜視図である。
【図３】
本発明の規制部材を取付けた部分の平面拡大図である。
【図４】
本発明の規制部材を貼り付けた部分の側面図である。
【図５】
本発明の他の実施例の規制部材を取付けた部分の平面拡大図である。
【図６】
従来の画像形成装置の構成図である。
【図７】
転写ベルトの一例を示す説明図である。
【図８】
転写ベルトの一例を示す説明図である。
【図９】
本発明の画像形成装置の他の実施例を示す概略斜視図である。
【図１０】
本発明の画像形成装置の他の実施例を示す概略斜視図である。
【符号の説明】
１                    規制部材
３                    記録材担持体（転写ベルト）
３’                  中間転写体
４                    駆動ローラ
５                    吸着ローラ
６                    ベルト支持ローラ
７ａ〜７ｄ            像担持体（感光ドラム）
８ａ〜８ｄ            帯電器
９ａ〜９ｄ            露光装置（ＬＴＤ）
１０ａ〜１０ｄ        現像器
１５                  寄り防止部材
２０１                前側板
２０２                後側板
Ｐａ〜Ｐｄ            画像形成手段